(57)【特許請求の範囲】
【請求項１】
ピックアップユニットを記録媒体ディスクの半径方向へ移動させるスクリューシャフトと、
前記スクリューシャフトを駆動するトラバースモータと、
前記トラバースモータと前記スクリューシャフトの間の動力伝達を行うトラーバースユニットを備え、
前記トラバースモータと前記トラーバースユニットと前記スクリューシャフトが、それぞれに対する基準面が形成されたシャーシに軸方向を揃えて装着され、
前記トラバースモータが、板ばね部材によってモータ受けのための基準面に押圧されることにより前記シャーシに固定され、
前記シャーシには、モータ受けのための３つの基準面と前記板ばね部材を取り付けるためのフックが設けられるとともに、前記板ばね部材には、前記フックと係合するフック孔と前記トラバースモータの側面を押圧する複数の側面押圧リブと軸方向押圧リブとが設けられ、
前記トラバースモータが前記シャーシに装着されて前記板ばね部材で挟持されることにより、前記側面押圧リブと前記軸方向押圧リブがそれぞれの基準面に向けて付勢して位置決め固定したことを特徴とする光ディスクドライブ装置。
【請求項２】
ピックアップユニットを記録媒体ディスクの半径方向へ移動させるスクリューシャフトと、
前記スクリューシャフトを駆動するトラバースモータと、
前記トラバースモータと前記スクリューシャフトの間の動力伝達を行うトラーバースユニットを備え、
前記トラバースモータと前記トラーバースユニットと前記スクリューシャフトのそれぞれに対する基準面が形成されたシャーシに軸方向を揃えて装着され、
前記トラバースモータは、板ばね部材によってモータ受けのための基準面に押圧されることにより前記シャーシに固定され、
前記シャーシには、前記板ばね部材を取り付けるための取り付け部が設けられ、前記板ばね部材には、前記取り付け部と係合する係合部と、前記トラバースモータの外郭面を側面方向と軸方向から押圧する押圧部とが設けられ、
前記トラバースモータが前記シャーシに装着されて前記板ばね部材で挟持されることにより、前記押圧部が前記シャーシのそれぞれの基準面に向けて付勢して位置決め固定したことを特徴とする光ディスクドライブ装置。
【発明の詳細な説明】
【０００１】
【発明の属する技術分野】
本発明は、光ピックアップの移動機構の組立精度を簡単な構成によって向上させる光ディスクドライブ装置に関する。
【０００２】
【従来の技術】
近年、可搬型パーソナルコンピュータの薄型化、小型軽量化が進展している。これらの可搬型パーソナルコンピュータが使用する記憶容量は著しく増加し、大容量の外部記憶装置が必要とされるようになってきている。中でもＣＤ―Ｒ、ＤＶＤ等の光学式記録媒体が大容量で取り扱いが容易なため、外部記憶装置として大多数の可搬型パーソナルコンピュータで使用される傾向にある。従って、可搬型パーソナルコンピュータで使用される光学式記録再生装置に対する薄型化、小型軽量化の要求は厳しさを増している。そして、これらの光ディスクドライブ装置は、記録媒体ディスクに情報を書き込む、あるいは情報を読み取ることを記録媒体であるディスクの半径方向へ移動するピックアップによって行っており、薄型化、小型軽量化を実現するには、記録媒体の正確な情報の読み取り、書き込み精度向上などのピックアップ性能を向上させることが不可欠である。
【０００３】
以下、従来の光ディスクドライブ装置について図３に基づいて説明する。図３は従来の光ディスクドライブ装置のトラバース機構の分解斜視図である。図３に示すように、光ディスクドライブ装置のトラバース機構は以下説明する複数のユニットを組み合わせて組み立てられる。まず、ピックアップユニット１８は、ピックアップ１にラック２を取り付けて組み立てられる。このピックアップユニット１８を移動させるスクリューシャフトユニット１９は、スパイラル状に溝をもつスクリューシャフト３にシャフトギア４を圧入して作られる。次に、スクリューシャフトユニット１９に回転を伝えるためのブラケットユニット２０は、ギアブラケット５にトレインシャフト７を圧入して構成される。そして、駆動源となるモータユニット２１は、このブラケットユニット２０と、ブラケットユニット２０のトレインシャフト７に挿入されたトレインギア８と、トラバースモータ９とから組み立てられる。トラバースモータ９はギアブラケット５に２本のねじ１０で固定され、トラバースモータシャフト１１にエンコーダ１２とピニオンギア１３が圧入され、さらにトレインギア８を介してブラケットユニット２０に組み付けられる。次いで、スクリューシャフトユニット１９をこのモータユニット２１のギアブラケット５に挿入し、トラーバースユニット２２を組み立てて、さらにこのトラーバースユニット２２をシャーシ１４に取り付けることによってトラバース機構が完成する。
【０００４】
トラバースモータ９の駆動力は、ピニオンギア１３からトレインギア８に伝えられ、スクリューシャフトユニット１９からラック２とへ伝達され、ピックアップ１を記録媒体ディスクの内周から外周まで、ガイド軸１５に沿い移動させる。その際、トラバースモータシャフト１１に設けられたエンコーダ１２が回転し、このエンコーダ１２の孔がフォトインタラプタ１６の溝を通過することによりピックアップ１のディスク半径方向の位置情報を得て制御している。
【０００５】
【発明が解決しようとする課題】
以上説明したように、従来の光ディスクドライブ装置のトラバース機構は、部品点数が多いため、組み立て時に部品単品の組み立て誤差が累積し、この累積誤差のため精度確保が困難であり、調整工数を必要としている。また、部品点数を減らし精度向上を図るためには、ギアブラケット５とモータブラケットを一体化して一部材にすることも考えられるが、光ディスクドライブ装置には上述した厳しい薄型化、小型化の課題が課せられており、配置スペースに余裕がないため、一部材化は困難である。また、各アセンブリ部品の構成部材が非常に多くなってきており、アセンブリ部品の取り扱いと組み立てが難しく、工数が増加し、部品形状の複雑化は部品のばらつきに直結している。
【０００６】
また、トラバースモータ９には、位置決め用の孔が前面についており、その孔を用い、ギアブラケット５のスラスト方向の取り付け基準面にトラバースモータ９の前面を当てつけてねじ止めすれば、トラバースモータ９の取り付け精度が一番精度高く取り付けられるようにも感じられるが、実際は、ねじ１０の締めつけトルクのばらつきと、２本のねじ１０間の締めつけトルクのアンバランスにより、トラバースモータ９がギアブラケット５のスラスト方向の基準面に対し、傾いて取り付けられ、ピニオンギア１３とトレインギア８のクリアランスがばらつき、ピックアップ１を移動させるための負荷が安定せず、ピックアップ１が所定の電圧で移動できないといった問題が発生したり、最悪の場合トラバースモータ９自体の破壊、トラバースモータシャフト１１の変形といった問題も発生する。
【０００７】
従って、光ディスクドライブ装置のピックアップ１の移動機構の性能を維持しつつ、こういった問題を解決するためには、シャーシ１４、ギアブラケット５の精度、ねじ１０の締めつけトルク精度、組み立て治具の精度をできるだけ高くする必要があるが、精度を高くできる反面、検査管理費が増加し、ギアブラケット５の部材単価が上がり、ねじ締め機の徹底的なトルク管理、工数の増加、治具製造の困難化や高精度化といった問題が発生する。
【０００８】
そこで、本発明は、少ない部品で確実且つ簡単に組み立てられ、ピックアップ部品の組立精度を向上させることができ、ピックアップの移動の安定化が図れ、且つ組立て工数低減を図ることができ、部品管理が容易で、管理コストも削減できる光ディスクドライブ装置を提供することを目的とする。
【０００９】
【課題を解決するための手段】
本発明の光ディスクドライブ装置は、トラバースモータとトラーバースユニットとスクリューシャフトが、それぞれに対する基準面が形成されたシャーシに軸方向を揃えて装着され、トラバースモータが、板ばね部材によってモータ受けのための基準面に押圧されることによりシャーシに固定され、シャーシには、モータ受けのための３つの基準面と板ばね部材を取り付けるためのフックが設けられるとともに、板ばね部材には、フックと係合するフック孔とトラバースモータの側面を押圧する複数の側面押圧リブと軸方向押圧リブとが設けられ、トラバースモータがシャーシに装着されて板ばね部材で挟持されることにより、側面押圧リブと軸方向押圧リブがそれぞれの基準面に向けて付勢して位置決め固定したことを特徴とする。
また、本発明の光ディスクドライブ装置は、トラバースモータとトラーバースユニットとスクリューシャフトが、それぞれに対する基準面が形成されたシャーシに軸方向を揃えて装着され、トラバースモータが、板ばね部材によってモータ受けのための基準面に押圧されることによりシャーシに固定され、シャーシには、板ばね部材を取り付けるための取り付け部が設けられ、板ばね部材には、取り付け部と係合する係合部と、トラバースモータの外郭面を側面方向と軸方向から押圧する押圧部とが設けられ、トラバースモータがシャーシに装着されて板ばね部材で挟持されることにより、押圧部が前記シャーシのそれぞれの基準面に向けて付勢して位置決め固定したことを特徴とする。
【００１０】
これにより、少ない部品で確実且つ簡単に組み立てられ、ピックアップ部品の組立精度を向上させることができ、ピックアップの移動の安定化が図れ、且つ組立て工数低減を図ることができ、部品管理が容易で、管理コストも削減できる。
【００１１】
【発明の実施の形態】
本発明の請求項１に記載の発明は、ピックアップユニットを記録媒体ディスクの半径方向へ移動させるスクリューシャフトと、スクリューシャフトを駆動するトラバースモータと、トラバースモータとスクリューシャフトの間の動力伝達を行うトラーバースユニットを備え、トラバースモータとトラーバースユニットとスクリューシャフトが、それぞれに対する基準面が形成されたシャーシに軸方向を揃えて装着され、トラバースモータが、板ばね部材によってモータ受けのための基準面に押圧されることによりシャーシに固定され、シャーシには、モータ受けのための３つの基準面と板ばね部材を取り付けるためのフックが設けられるとともに、板ばね部材には、フックと係合するフック孔とトラバースモータの側面を押圧する複数の側面押圧リブと軸方向押圧リブとが設けられ、トラバースモータがシャーシに装着されて板ばね部材で挟持されることにより、側面押圧リブと軸方向押圧リブがそれぞれの基準面に向けて付勢して位置決め固定したことを特徴とする光ディスクドライブ装置であるから、トラバースモータとトラーバースユニットとスクリューシャフトの軸方向をシャーシのみで平行に揃えることができ、トラバースモータの位置決めと固定は板ばね部材だけで行うから、少ない部品で簡単且つ確実に位置決めでき、安定した動作のピックアップの移動機構とすることができる。トラバースモータとトラーバースユニットとスクリューシャフトの平行度の組立精度は上がり、組み立てにばらつきが入ることなく、組み立て工数の低減を図ることができる。
さらに、トラバースモータとトラーバースユニットとスクリューシャフトの軸方向をシャーシのみで揃えることができ、板ばね部材を装着するだけで、フックによってトラバースモータの高さ方向の基準面に押圧し、トラバースモータの側面を複数の側面押圧リブで均等に押圧し、軸方向押圧リブでトラバースモータ後方部を押圧し、これにより３つの基準面にそれぞれ位置決めでき、スクリューシャフトとトラバースモータを簡単且つ確実に基準面に装着でき、安定した動きのピックアップの移動機構とすることができる。トラバースモータとトラーバースユニットとスクリューシャフトの平行度の精度は上がり、組立て工数低減を図ることができ、部品管理が容易で、管理コストも削減できる。
【００１２】
本発明の請求項２に記載の発明は、ピックアップユニットを記録媒体ディスクの半径方向へ移動させるスクリューシャフトと、スクリューシャフトを駆動するトラバースモータと、トラバースモータとスクリューシャフトの間の動力伝達を行うトラーバースユニットを備え、トラバースモータとトラーバースユニットとスクリューシャフトが、それぞれに対する基準面が形成されたシャーシに軸方向を揃えて装着され、トラバースモータが、板ばね部材によってモータ受けのための基準面に押圧されることによりシャーシに固定され、シャーシには、板ばね部材を取り付けるための取り付け部が設けられ、板ばね部材には、取り付け部と係合する係合部と、トラバースモータの外郭面を側面方向と軸方向から押圧する押圧部とが設けられ、トラバースモータがシャーシに装着されて板ばね部材で挟持されることにより、押圧部がシャーシのそれぞれの基準面に向けて付勢して位置決め固定したことを特徴とする光ディスクドライブ装置であるから、トラバースモータとトラーバースユニットとスクリューシャフトの軸方向をシャーシのみで平行に揃えることができ、トラバースモータの位置決めと固定は板ばね部材だけで行うから、少ない部品で簡単且つ確実に位置決めでき、安定した動作のピックアップの移動機構とすることができる。トラバースモータとトラーバースユニットとスクリューシャフトの平行度の組立精度は上がり、組み立てにばらつきが入ることなく、組み立て工数の低減を図ることができる。
さらに、トラバースモータとトラーバースユニットとスクリューシャフトの軸方向をシャーシのみで揃えることができ、板ばね部材を装着するだけで、取り付け部によってトラバースモータの高さ方向の基準面に押圧し、トラバースモータの外郭面を側面方向と軸方向から押圧部で押圧し、これによりシャーシの基準面にそれぞれ位置決めできるので、スクリューシャフトとトラバースモータを簡単且つ確実に基準面に装着でき、安定した動きのピックアップの移動機構とすることができる。トラバースモータとトラーバースユニットとスクリューシャフトの平行度の精度は上がり、組立て工数低減を図ることができ、部品管理が容易で、管理コストも削減できる。
【００１３】
（実施の形態１）
図１（ａ）は本発明の実施の形態１における光ディスク装置の平面図、図１（ｂ）は（ａ）の光ディスク装置の板ばね部材を外した平面図、図２（ａ）は図１（ｂ）のトラバースモータの取り付けを示すＢ−Ｂ断面図、図２（ｂ）は図１（ａ）のトラバースモータの取り付けを示すＡ−Ａ断面図である。本実施の形態１のピックアップユニット１１８の移動のための構成は、上述した従来のピックアップユニット１８と同様である。すなわち、トラバースモータ１０９の駆動力をシャフトギア１０４、トラバースモータ１０９、ピニオンギア１１３、スクリューシャフト１０３を用い伝達し、２本のガイド軸１１５を沿って、記録媒体の内周から外周まで移動させ、フォトインタラプタ１１６を用い、エンコーダ１１２からの情報によりピックアップ１０１の位置情報を得ている。詳細な説明は省略する。
【００１４】
ところで、本実施の形態１のピックアップユニット１１８は、ピックアップ１０１にラック１０２を取り付けて構成される。このピックアップユニット１１８を移動させるスクリューシャフトユニット１１９は、スパイラル状に溝をもつスクリューシャフト１０３にシャフトギア１０４を圧入したものである。ギアユニット１２３は、トラバースモータ１０９のトラバースモータシャフト１１１にエンコーダ１１２とピニオンギア１１３を圧入したものである。
【００１５】
この板ばね部材１１７を用いてシャーシに対する固定がどのように行われるかについて説明する。図２（ａ）に示すように、実施の形態１ではシャーシ１１４にフック１１４ａ、板ばね部材１１７にフック孔１１７ａを設けている。このフック１１４ａをフック孔１１７ａに引っかけるだけでトラバースモータ１０９がシャーシ１１４に装着される。このとき、トラバースモータ１０９の側面方向，軸方向，高さ方向の位置決めは、位置決め形状をトラバースモータ１０９の円弧状の外形形状に合わせた側面押圧リブ１１７ｂと、トラバースモータ１０９の後端面を付勢する軸方向押圧リブ１１７ｃと、フック１１４ａ及びフック１１７ａによってなされる。この側面押圧リブ１１７ｂはトラバースモータ１０９の軸に平行に前後２箇所ずつ設けられており、これによって均等な付勢力を加えることができ、トラバースモータ１０９とスクリューシャフト１０３との高い平行性を維持できる。また、トラバースモータ１０９の前面部を受ける基準面を形成するリブがシャーシ１１４に設けられており、トラバースモータ１０９の後方部が軸方向押圧リブ１１７ｃ（基準面）に押しつけられる。高さ方向についても、シャーシ１１４に取り付けの基準面が設けられており、フック１１４ａ及びフック１１７ａによって挟圧、固定される。
【００１６】
すなわち、図２（ａ），（ｂ）に示すように、フック１１４ａに板ばね部材１１７を装着することにより、複数の側面押圧リブ１１７ｂが均等にトラバースモータ１０９の側面を押圧し、軸方向押圧リブ１１７ｃがトラバースモータ１０９の背面をシャーシ１１４に押し付ける。側面押圧リブ１１７ｂによる押圧力の分力がシャーシ１１４に形成されたモータ受け基準面にトラバースモータ１０９を押し付け、トラバースモータ１０９とスクリューシャフト１０３の方向を揃えることができる。同様に、モータ軸方向には軸方向押圧リブ１１７ｃによってモータ受け基準面に押圧されて位置決めされる。もちろん、トラバースモータ１０９の高さ方向の位置決めは板ばね部材１１７自身がフック孔１１７ａとフック１１４ａが係合することで挟持固定される。
【００１７】
ところで、トラーバースユニット１２２は、ギアブラケット１０５にトレインシャフト１０７を圧入し、トレインギア１０８を挿入し、更にスクリューシャフトユニット１１９を挿入して構成される。このギアブラケット１０５とスクリューシャフト１０３は、シャーシ１１４に設けられた図示しない取付位置決め孔（基準面）に挿入され、この状態で板ばね部材１１７の作用でトラバースモータ１０９が固定されると、トラバースモータユニット１２２、ギアユニット１２３がシャーシ１１４に方向を揃えて平行に組み立てられる。すなわち、トラバースモータシャフト１１１とトレインシャフト１０７、スクリューシャフトユニット１１９のいずれもが、１つの板ばね部材１１７によって、シャーシ１１４基準で組み立てられていることになり、全シャフトの平行性が実現でき、高精度のピックアップ送り機構が実現できる。
【００１８】
【発明の効果】
以上のように、本発明によれば、シャーシと板ばね部材だけの簡単な組み立てで、ピックアップの移動機構の主要部品全ての平行度の組立精度を向上させることができ、ピックアップの移動の安定化が図れ、且つ組立て工数低減を図ることができる。また、部品管理もシャーシのみの管理で足り、管理コストも削減できる。
【図面の簡単な説明】
【図１】（ａ）本発明の実施の形態１における光ディスク装置の平面図
（ｂ）（ａ）の光ディスク装置の板ばね部材を外した平面図
【図２】（ａ）図１（ａ）のトラバースモータの取り付けを示すＡ−Ａ断面図
（ｂ）図１（ｂ）のトラバースモータの取り付けを示すＢ−Ｂ断面図
【図３】従来の光ディスクドライブ装置のトラバース機構の分解斜視図
【符号の説明】
１、１０１  ピックアップ
２、１０２  ラック
３、１０３  スクリューシャフト
４、１０４  シャフトギア
５、１０５  ギアブラケット
７、１０７  トレインシャフト
８、１０８  トレインギア
９、１０９  トラバースモータ
１０  ねじ
１１、１１１  トラバースモータシャフト
１２、１１２  エンコーダ
１３、１１３  ピニオンギア
１４、１１４  シャーシ
１８、１１８  ピックアップユニット
１９、１１９  スクリューシャフトユニット
２０、１２０  ブラケットユニット
２１、１２１  モータユニット
２２、１２２  トラーバースユニット
１１４ａ  フック
１１５  ガイド軸
１６、１１６  フォトインタラプタ
１１７  板ばね部材
１１７ａ  フック孔
１１７ｂ  側面押圧リブ
１１７ｃ  軸方向押圧リブ
１２３  ギアユニット
【図１】
0003861658.tif 000002
【図２】
0003861658.tif 000003
【図３】
0003861658.tif 000004